(57)【要約】【課題】この発明は、除草作業を行う者の背の高さにより鍬基体の角度及び柄の角度を調節し、また、除草作業を行う場所の広さによって柄の長さを調節できる刃の角度調整自在な除草鍬を提供する。【解決手段】鍬基体２は、絵馬型形状からなり、その中央部分に外形とほぼ同型の形状のものを刳り抜き３、絵馬状型の刳り抜き部分鍬基体２の裏面上辺に軸受け片４ａ，４ｂを設け、その部分に回動自在に柄５と接合された係止金具６を設け、その両側に当たる鍬基体２の両肩９ａ，９ｂに係止金具６を締め付け装置７ａ，７ｂを設けてなり、その装置の調節螺子８ａ，８ｂの緩急により鍬基体２の角度を調節し、また、柄５は、係止金具６の上端部に接合され、その他端５ａに更に、材質の異なる柄１５が３個のボルト１６ａ，１６ｂ，１６ｃ、ナット１７ａ，１７ｂ，１７ｃにより固定されるが、その鍬基体２側のボルト１６ａとナット１７ａを中心として調節することにより、柄の角度を数段階に変化させ微調整ることを特徴とする刃の角度調整自在鍬１である。【選択図】  図５
2004194633.tif 000002
【特許請求の範囲】
【請求項１】
鍬基体２は、絵馬型形状からなり、その中央部分に外形とほぼ同型の形状のものを刳り抜き３、絵馬状型の刳り抜き部分鍬基体２の裏面上辺に軸受け片４ａ，４ｂを設け、その部分に回動自在に柄５と接合された係止金具６を設け、その両側に当たる鍬基体２の両肩９ａ，９ｂに係止金具６を締め付け装置７ａ，７ｂを設けてなり、その装置の調節螺子８ａ，８ｂの緩急により鍬基体２の角度を調節し、また、柄５は、係止金具６の上端部に接合され、その他端５ａに更に、材質の異なる柄１５が３個のボルト１６ａ，１６ｂ，１６ｃ、ナット１７ａ，１７ｂ，１７ｃにより固定されるが、その鍬基体２側のボルト１６ａとナット１７ａを中心として調節することにより、柄の角度を数段階に変化させ微調整ることを特徴とする刃の角度調整自在鍬１。
【請求項２】
上記鍬基体２の両肩９ａ，９ｂに設けられた係止金具を締め付け装置７ａ，７ｂは、鍬基体２の両肩９ａ，９ｂに設けられた角状金具１０ａ，１０ｂに横行する調節螺子８ａ，８ｂを設け、ゴム１１に穴（つつろ状）を有する金具１２の穴１３に調節螺子の軸端８ａ１，８ｂ１の両端を嵌合して、穴（つつろ状）を有する金具１２に、Ｕピン１４を差込んで形成され、調節螺子８ａ，８ｂの緩急により、鍬基体２の角度を３０度、４０度、５０度と３段階に変化させることを特徴とする請求項１記載の刃の部角度調整自在鍬１。
【請求項３】
上記柄５の、その他端５ａには、材質の異なる柄１５が、３個のボルト１６ａ，１６ｂ，１６ｃとナット１７ａ，１７ｂ，１７ｃにより固定されるが、その鍬基体２側のボルト１６ａとナット１７ａを中心として調節することにより、柄の角度を１０度乃至３０度と数段階に変化させ微調整することを特徴とする請求項１記載の刃の部角度調整自在鍬１。
【発明の詳細な説明】
【０００１】
【発明の属する技術分野】
この発明は、除草作業を行う者の背の高さにより鍬基体及び柄の角度を調節し、また、除草作業を行う場所の広さによって柄の長さを調節できる刃の部角度調整自在鍬に関する。
【０００２】
【従来の技術】
従来、草削り鍬としては、柄と、取り付け具と、草削りと、小唐鍬とからなるもの公開実用平成１−６３３０１、或いは替え刃式草削り鍬、公開実用平成１−６３３０１とが有するが、共に鍬と柄の部分が固定式であり、人の背の高さや作業の広さにより柄の長さを調節することは出来ないものである。そして極く最近であるが、出願人のものとして、人の背の高さや作業の広さにより柄の長さを調節することは出来るもののとして特願２００２−２５２００５があり、その改良型として鍬の角度調節を行ない易くしたものを、ごく最近のものとして、特願２００２−３２６０８７がある。
【０００３】
【発明が解決しようとする課題】
しかし、上記出願に係る構造の鍬とは違い、土地を耕したり，土を掘ったりするのと違い、土に打ち付けて急激に強い力が柄や鍬に係ることはない。草をとる方法としては、約１ｍ前方草の根に鍬の刃を当てて髭を剃るように地面の表面を手前に一気に引くと草は根から切れ草は削げるものである。
また、約１ｍ前方草の根に鍬の刃を当てて髭を剃るように地面の表面を手前に一気に引くとき、除草作業を行う者の背の高さにより鍬基体の角度の変更のみでは的確な除草作業に応じ切れない場合があるので、それに加え柄の角度を調節可能な刃の部角度調整自在鍬とした。
【０００４】
この際、地面と鍬の刃の角度が大いに問題となります。その角度が大きすぎると鍬の刃は、草の根を切り難く、その角度によっては刃が土に食い込んだりしてその角度は、作業能率と大いに関係が深いものであります。従来の鍬には刃の角度を調節する装置は無く、この点において不具合を有していたものである。
【０００５】
【課題を解決するための手段】
この発明は、かかる従来の不具合を解消するためになされたもので、地面と鍬の刃の角度が、一定に保たれるように、人の背の高さや、作業する場所の広さにより、柄の長さを接ぎ柄により調節し、姿勢の良い状態で作業することができるので、長時間作業を行っても、腰への負担が少ないことから、疲労も少ない。
【０００６】
上記目的を達成するためこの発明のうち、請求項１記載の発明に係る鍬基体は、絵馬型形状からなり、その中央部分に外形とほぼ同型の形状のものを刳り抜き、絵馬状型の刳り抜き部分鍬基体の裏面上辺に軸受け片を設け、その部分に回動自在に柄と接合された係止金具を設け、その両側に当たる鍬基体の両肩に係止金具を締め付け装置を設けてなり、その装置の調節螺子の緩急により鍬基体の角度を調節し、また、柄は、係止金具の上端部に接合され、その他端に更に、材質の異なる柄が３個のボルトとナットにより固定されるが、その鍬基体側のボルトとナットを中心として調節することにより、柄の角度を数段階に変化させ微調整することを特徴とする刃の角度調整自在鍬である。
【０００７】
そして、上記目的を達成するためこの発明のうち、請求項２記載の発明に係る鍬基体は、鍬基体の両肩に設けられた係止金具を締め付け装置は、鍬基体の両肩に設けられた角状金具に横行する調節螺子を設け、ゴムに穴（つつろ状）を有する金具の穴に調節螺子の軸端の両端を嵌合して、穴（つつろ状）を有する金具に、Ｕピンを差込んで形成され、調節螺子の緩急により、鍬基体の角度を３０度、４０度、５０度と３段階に変化させることを特徴とする請求項１記載の刃の部角度調整自在鍬１である。
【０００８】
また、上記目的を達成するためこの発明のうち、請求項３記載の発明に係る鍬基体の上記柄の、その他端には、材質の異なる柄が、３個のボルトとナットにより固定されるが、その鍬基体２側のボルトとナットを中心として調節することにより、柄の角度を１０度乃至３０度と数段階に変化させ微調整することを特徴とする請求項１記載の刃の部角度調整自在鍬である。
【０００９】
【発明の実施の形態】
この発明の実施の形態は図面を参照して詳述する
図１は、本発明の実施の形態になる刃の角度調整自在鍬の要部である鍬基体の正面斜視図である。図２は本発明の実施の形態になる刃の角度調整自在鍬の要部である鍬基体の背面斜視図である。図３は、本発明の実施の形態になる上記図１の一部を切り欠き断面で表した平面図である。
【００１０】
図４の（ａ）は、本発明の実施の形態になる刃の角度調整自在鍬の係止具を締め付け装置７ａの要部で、その一部を切り欠いた拡大した正面図であり、点線の長方形のものはあて板を示し、棒状のものはＵピン１４で係止具の固定に用いるものである。図４の（ｂ）は、本発明の実施の形態になる刃の角度調整自在鍬の係止具を締め付け装置７ａの螺子調節棒である。図４の（ｃ）は、本発明の実施の形態になる刃の角度調整自在鍬のＵピンで係止具の固定に用いるもので点線は螺子軸を示すものである。
【００１１】
図５は、本発明の実施の形態になる刃の角度調整自在鍬の全体図で、２点鎖線は作動状態を示す正面図である。
図６、図７及び図８は、本発明の実施の形態になる刃部角度調節可能な除草鍬の要部である鍬基体の角度をそれぞれ変えた状態の説明に係る側面図である。図９及び図１０は、柄に係る説明図であり、図１１は使用状態の説明図である。
【００１２】
鍬基体２は、絵馬型形状からなり、その中央部分に外形とほぼ同型の形状のものを刳り抜き３、鍬基体の軽量化と削ぎ土草の逃げ場を設け作業のし易さをはかっている。
【００１３】
絵馬型形状の鍬基体２の上辺軸受け片４ａ、４ｂを設け、その部分に回動自在に柄５と接合された係止金具６を設け、その両側に当たる鍬基体２の上辺に係止金具６を締め付け装置７ａ，７ｂを設けてなり、その装置の調節螺子８ａ，８ｂの緩急により鍬基体２の角度を調節するものである。
【００１４】
係止金具６の両側には、図１、図２に示すとおり、縦線状に凹凸６ａを設けて、締め付け装置７ａ，７ｂの締付具７ｃ１，７ｃ２のゴム１１ａ，１１ｂが密着し易くされている。
締め付け装置７ａ，７ｂは、鍬体２の両肩９ａ，９ｂに設けられた、角状金具１０ａ，１０ｂに横行する調節螺子８ａ，８ｂと、ゴム片１１ａ，１１ｂに（つつろ状）穴が設けられた金具を接合してなる締付具７ｃ１，７ｃ２に、前記金具の穴１３ａ，１３ｂに螺子の軸８ｅの両端が嵌合した状態において、Ｕピン１４を金具１２の孔に差込んで接合し、調節螺子８ａ，８ｂの回転により、締付具７ｃ１，７ｃ２は、係止金具６の両側を締めたり緩めたりすることにより鍬基体２の角度を決めるものである。
【００１５】
調節螺子８ａ，８ｂの回転は、手動でも充分であるが、お年寄りや、握力のない人ために、調節螺子８ａ，８ｂのつまみの周囲に数個の穴８ｃが設けられ、その穴８ｃに調節棒８ｄを差込んで、締めたり、緩めたりして鍬基体２の角度を調節することもできるものである。
【００１６】
その際、ゴム片７に筒口状の穴が設けられた金具の穴に螺子の軸１０の両端が、嵌合され、Ｕピン１４を金具の孔に差込んで接合して、調節螺子８ａ，８ｂの回転されたことにより、締付具７ｃ１，７ｃ２が円滑に摺動できるように当て板２１を設けたものである。
【００１７】
そして、図３乃至図８に示すように、調節螺子８ａ，８ｂの回転により、締付具７ｃ１，７ｃ２は、係止金具６の両側を締めつけたり緩めたりすることによって、使用者の背の高さにより固定位置３０度、４０度、５０度を調節し、鍬基体２の角度を調節するものである。
【００１８】
例えば図６の場合は、鍬基体の角度を５０度に選定しているが、この場合は比較的背の低い人が使用するときである。図７の場合は、鍬基体の角度を４０度に選定しているが、この場合は背の高さが標準的な人が使用するときである。図８の場合は、鍬基体の角度を３０度に選定しているが、この場合は比較的背の高い人が使用するときである。
【００１９】
草をとる方法としては、約１ｍ前方草の根に鍬の刃を当てて髭を剃るように地面の表面を手前に一気に引くと草は根から切れ草は削げます。その際、地面と鍬の刃の角度が大きすぎると鍬の刃は、草の根にかかり難く、その角度によっては刃が土に食い込んだりしてその角度は、作業能率に関係が深いので、その角度の調節は重要であります。
【００２０】
草の根にかかり易く、地面に深く食い込み難い、地面と鍬の刃の理想的な角度は、後記図表及び図１１に示すように４０度前後であり、背の高い人、背の低い人、背が曲がり極端に背の低い人の三段階が想定されますが、角度調節１０度乃至３０度の表示に合わせて微調整し、それぞれ図９に示すとおり地面と鍬の刃の角度は、４０度に調節できるように設けてある。
【００２１】
鍬基体の刃の角度調節は、調節螺子８ａ，８ｂの回転により、締付具７ｃ１，７ｃ２で、係止金具６の両側を閉めつけたり緩めたりすることができるものであります。係止金具６の両側部に表示された３０度、４０度、５０度の位置の下段に締付具７ｃ１，７ｃ２を固定するものであるが、使用者の背の高さにより、その位置決めを行なうものであります。
【００２２】
鍬基体２の角度を調節するほか、その微調整として、図９に示すよう係止金具６の上部に接合された柄５の他端には、３個の孔が設けられ、係止金具６寄りの端部孔１８ａは丸孔が設けられ、他の孔１８ｂ，１８ｃの長孔が設けられている。そして、丸孔１８ａを支点として、柄１５の角度を使用する人の高さに応じて１０度乃至３０度に選定し、柄５の他端部５ａを３個のボルト１６ａ，１６ｂ，１６ｃとナット１７ａ，１７ｂ，１７ｃで、螺子止めされることにより地面に対する鍬基体２の角度を微調節するものである。
【００２３】
そして、背の高さ、柄の角度及び鍬の角度、の関係は、次の表に示すものである。
2004194633.tif 000003
しかしながら、植物の種類によって，一年草の雑草は根が浅いものが多く土を浅く削れば良く、多年草の野草は根が深く土を深く削らなくてはなりません。
刃の角度は、草質や体力によって異なり４０度以上のこともあれば４０度以下の場合もあります。上記表はあくまでも目安です。
【００２４】
そして、柄１５は、元柄１５ａと接ぎ柄１５ｂとからなっており、元柄１５ａの一端には設けられた３個の孔１８ａ，１８ｂ，１８ｃと係止金具６ａの端部側は、丸孔１８ａとし、後の２つは、縦に長孔１８ｂ，１８ｃとして、３個のボルト１６ａ，１６ｂ，１６ｃとナット１７ａ，１７ｂ，１７ｃで係止金具６から延びている柄５ａの他端の孔２０ａ，２０ｂ，２０ｃが螺子止されることにより柄が付され、刃の角度調整自在な鍬が完成されるものである。
柄１５は、元柄１５ａと接ぎ柄１５ｂとから構成され、元柄の他端の外側には、接ぎ柄装着筒２２設け、そこに接ぎ柄１５ｂの接ぎ部分端部２３を、接ぎ柄装着筒２１に挿入して、柄１５を形成するものである。
【００２５】
接ぎ柄は、その長さが使用する場所又は背の高さによって大、中、小と図示されていないが用意され、使用目的に合わせて選ぶことができ、誠に便利なものである。
【００２６】
【発明の効果】
この発明は、以上詳述したように、一般の鍬とは違い、土地を耕したり、土を掘ったりするのと違い、土地に打ち付けて急激に強い力が柄や鍬に係ることはない。
この鍬の使用方法としては、約１ｍ前方草の根に鍬の刃を当てて髭を剃るように地面の表面を手前に一気に引くことにより草の根を切り草は削げるものである。
これにより草は枯れ、表面の土は、１ｃｍ乃至２ｃｍほど削がれるので、土と草は分離し易くなっているため、草の除去作業も効果的である。
【００２７】
この発明に係る鍬は、草の根にかかり易く地面に深く食い込み難い地面と鍬の刃の理想的な角度の位置を保持するものである。その理想的な角度は４０度前後であるが、背の高い人、背の低い人、背が曲がり極端に背の低い人により、主として、鍬基体の角度調節は、その刃部固定金具の中央部に軸の両端にボルトの調節と柄の取付け角度調整とにより、作業の際、それぞれ図１１に示すとおり地面と鍬の刃の角度は、４０度に保たれ、姿勢の良い状態で作業ができるので疲れることが無く長時間作業ができ効率的である。
【００２８】
更に、この発明に係る鍬は、その部品の数も少なくその組立て作業も簡単であるので、需要者には安価に提供できるものである。
【図面の簡単な説明】
【図１】本発明の実施の形態になる刃の角度調整自在鍬の要部である鍬基体の正面斜視図である。
【図２】本発明の実施の形態になる刃の角度調整自在鍬の要部である鍬基体の背面斜視図である。
【図３】本発明の実施の形態になる上記図１の一部を切り欠き断面で表した平面図である。
【図４】（ａ）は、本発明の実施の形態になる刃の角度調整自在鍬の係止具を締め付け装置７ａの要部で、その一部を切り欠いた拡大した正面図であり、点線の長方形のものはあて板を示し、棒状のものはＵピンで係止具の固定に用いるものである。
（ｂ）は、本発明の実施の形態になる刃の角度調整自在鍬の係止具を締め付け装置７ａの螺子調節棒である。
（ｃ）は、本発明の実施の形態になる刃の角度調整自在鍬のＵピンで係止具の固定に用いるもので点線は螺子軸を示すものである。
【図５】本発明の実施の形態になる刃の角度調整自在鍬の全体図で、２点鎖線は作動状態を示す正面図である。
【図６】本発明の実施の形態になる刃の角度調整自在鍬の要部である鍬基体を５０度に傾斜させた状態の側面図である。
【図７】本発明の実施の形態になる刃の角度調整自在鍬の要部である鍬基体を４０度に傾斜させた状態の側面図である。
【図８】本発明の実施の形態になる刃の角度調整自在鍬の要部である鍬基体を３０度に傾斜させた状態の側面図である。
【図９】（ａ）本発明の実施の形態になる柄の端部５ａに元柄１５ａの一端が螺着される状態の分解斜視図である。
（ｂ）本発明の実施の形態になる柄の端部５ａに元柄１５ａの一端が螺着されている状態の側面図である。
【図１０】（ａ）本発明の実施の形態になる柄の一部を省略し、接ぎ柄の部分を表した側面図である。
（ｂ）本発明の実施の形態になる柄の一部を省略し、接ぎ柄の部分を断面で表した側面図である。
（ｃ）本発明の実施の形態になる継ぎ柄の部分の平面図である。
（ｄ）本発明の実施の形態になる元柄の一部を省略し、接ぎ柄の部分の平面図である。
【図１１】（ａ）本発明の実施の形態になる背の高い人が作業用状態の正面図である。
（ｂ）本発明の実施の形態になる背の低い人が作業用状態の正面図である。
（Ｃ）本発明の実施の形態になる腰の曲がった背の更に低い人が作業用状態の正面図である。
【符号の説明】
１    刃の角度調整自在鍬
２    鍬基体
３    絵馬型刳り抜き
４ａ、４ｂ    鍬基体２の裏面上辺軸受け片
５    柄
６    係止金具
７ａ，７ｂ    締め付け装置
８ａ，８ｂ    調節螺子
８ａ１，８ｂ１    調節螺子の軸端
９ａ，９ｂ    鍬基体２の両肩
１０ａ，１０ｂ    角状金具
１１ａ，１１ｂ    ゴム
１２ａ，１２ｂ    （つつろ状）穴を有する金具
１５    材質の異なる柄
１６ａ，１６ｂ，１６ｃ    柄５の端部５ａに用いる３個のボルト
１７ａ，１７ｂ，１７ｃ    柄５の端部５ａに用いる３個のナット
【図１】
2004194633.tif 000004
【図２】
2004194633.tif 000005
【図３】
2004194633.tif 000006
【図４】
2004194633.tif 000007
【図５】
2004194633.tif 000008
【図６】
2004194633.tif 000009
【図７】
2004194633.tif 000010
【図８】
2004194633.tif 000011
【図９】
2004194633.tif 000012
【図１０】
2004194633.tif 000013
【図１１】
2004194633.tif 000014